【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
ビデオデータをコーディングする方法であって、
現在の動きベクトルの候補動きベクトル予測子が参照する第１の参照ピクチャを表す第１の目標参照インデックスを決定することと、
前記第１の参照ピクチャとは異なる第２の参照ピクチャを表す追加の目標参照インデックスの所定の値を表すデータを含む、スライスヘッダまたはピクチャパラメータセット（ＰＰＳ）のうちの少なくとも１つを復号することと、
前記第１の参照ピクチャが長期参照ピクチャを備えることを決定することと、
前記第１の参照ピクチャが前記長期参照ピクチャを備えることを決定することに応答して、前記候補動きベクトル予測子を使用した前記現在の動きベクトルの時間的動きベクトル予測（ＴＭＶＰ）の間に、前記現在の動きベクトルの参照インデックスが前記候補動きベクトル予測子の前記第１の目標参照インデックスの代わりに前記追加の目標参照インデックスの前記所定の値を有するように、前記現在の動きベクトルを復号することと
を備える方法。
【請求項２】
前記追加の目標参照インデックスの前記値を決定することは、前記所定の値に少なくとも部分的に基づいて前記追加の目標参照インデックスが利用可能であるかどうかを決定することをさらに備える、請求項１に記載の方法。
【請求項３】
前記追加の目標参照インデックスは、参照ピクチャリストの参照インデックス値０（ｒｅｆＩｄｘＬ０Ａ）と参照ピクチャリストの参照インデックス値１（ｒｅｆＩｄｘＬ１Ａ）のうちの一方を備える、請求項１に記載の方法。
【請求項４】
復号することは、マージモードを使用して前記現在の動きベクトルを復号することを備え、前記方法は、
前記候補動きベクトル予測子から前記現在の動きベクトルの動きパラメータを継承することと、ここにおいて、前記継承される動きパラメータは、参照ピクチャリスト識別子と、水平動成分と、垂直動成分とを含み、
前記現在の動きベクトルが参照ピクチャリストにおいて参照する前記第２の参照ピクチャを識別するために前記追加の目標参照インデックスの前記値を使用することと
を備え、
前記方法は、前記水平動成分、前記垂直動成分、および前記参照ピクチャリストにおいて前記追加の目標参照インデックスによって識別される前記第２の参照ピクチャを使用して現在のブロックを復号することをさらに備える、請求項１に記載の方法。
【請求項５】
前記追加の目標参照インデックスの前記値を決定することは、前記現在の動きベクトルを含むビデオデータが基本ビデオコーディング規格の拡張規格に適合するときにのみ前記追加の目標参照インデックスの前記値を決定することを備える、請求項１に記載の方法。
【請求項６】
前記基本ビデオコーディング規格は、高効率ビデオコーディング（ＨＥＶＣ）を備え、前記拡張規格は、ＨＥＶＣのマルチビュービデオコーディング拡張規格（ＭＶ−ＨＥＶＣ）とＨＥＶＣのスケーリング可能なビデオコーディング拡張規格（ＳＨＶＣ）の一方を備える、請求項５に記載の方法。
【請求項７】
前記所定の値を表すデータを復号することをさらに備え、前記データは、前記現在の動きベクトルに対応するブロックを含むスライスのデータを備える、請求項１に記載の方法。
【請求項８】
前記所定の値を表す前記データを復号することは、
基本ビデオコーディング規格の拡張規格に適合する前記スライスのスライスヘッダの一部における前記データを復号することと、
前記基本ビデオコーディング規格に適合する前記スライスの前記スライスヘッダの一部における前記データを復号することと
の少なくとも一方を備える、請求項７に記載の方法。
【請求項９】
前記現在の動きベクトルに対応するブロックを含むピクチャを含むシーケンスのシーケンスパラメータセット（ＳＰＳ）、またはビデオパラメータセット（ＶＰＳ）のうちの少なくとも１つにおける前記所定の値を表すデータを復号することをさらに備える、請求項１に記載の方法。
【請求項１０】
前記所定の値が非ゼロ値であるときに、前記第２の参照ピクチャが参照インデックス０によって識別される参照ピクチャのタイプとは異なるタイプを有することを決定することをさらに備える、請求項１に記載の方法。
【請求項１１】
ビデオデータを復号するためのデバイスであって、
ビデオデータを記憶するように構成されたメモリと、
現在の動きベクトルの候補動きベクトル予測子が参照する前記ビデオデータの第１の参照ピクチャを表す第１の目標参照インデックスを決定することと、
前記第１の参照ピクチャとは異なる第２の参照ピクチャを表す追加の目標参照インデックスの所定の値を表すデータを含む、スライスヘッダまたはピクチャパラメータセット（ＰＰＳ）のうちの少なくとも１つを復号することと、
前記第１の参照ピクチャが長期参照ピクチャを備えることを決定することと、
前記第１の参照ピクチャが前記長期参照ピクチャを備えることを決定することに応答して、前記候補動きベクトル予測子を使用した前記現在の動きベクトルの時間的動きベクトル予測（ＴＭＶＰ）の間に、前記現在の動きベクトルの参照インデックスが前記候補動きベクトル予測子の前記第１の目標参照インデックスの代わりに前記追加の目標参照インデックスの前記所定の値を有するように、前記現在の動きベクトルをコーディングすることと
を行うように構成されたビデオデコーダと
を備えるデバイス。
【請求項１２】
前記ビデオデコーダは、前記現在の動きベクトルが前記候補動きベクトル予測子から動きパラメータを継承するマージモードを使用して前記現在の動きベクトルを復号するように構成され、前記継承される動きパラメータは、参照ピクチャリスト識別子と、水平動成分と、垂直動成分とを含み、前記ビデオデコーダは、前記現在の動きベクトルが参照ピクチャリストにおいて参照する前記第２の参照ピクチャを識別するために前記追加の目標参照インデックスの前記値を使用することと、前記水平動成分、前記垂直動成分、および前記参照ピクチャリストにおいて前記追加の目標参照インデックスによって識別される前記第２の参照ピクチャを使用して現在のブロックを復号することとを行うように構成される、請求項１１に記載のデバイス。
【請求項１３】
前記ビデオデコーダは、前記現在の動きベクトルを含むビデオデータが基本ビデオコーディング規格の拡張規格に適合するときにのみ前記追加の目標参照インデックスの前記値を決定するように構成される、請求項１１に記載のデバイス。
【請求項１４】
前記ビデオデコーダは、前記現在の動きベクトルに対応するブロックを含むピクチャを含むシーケンスのシーケンスパラメータセット（ＳＰＳ）、またはビデオパラメータセット（ＶＰＳ）のうちの少なくとも１つにおける前記所定の値を表すデータを復号するように構成される、請求項１１に記載のデバイス。
【請求項１５】
前記ビデオデコーダは、前記所定の値が非ゼロ値であるときに、前記第２の参照ピクチャが参照インデックス０によって識別される参照ピクチャのタイプとは異なるタイプを有することを決定するように構成される、請求項１１に記載のデバイス。
【請求項１６】
ビデオデータを復号するためのデバイスであって、
現在の動きベクトルの候補動きベクトル予測子が参照する第１の参照ピクチャを表す第１の目標参照インデックスを決定するための手段と、
前記第１の参照ピクチャとは異なる第２の参照ピクチャを表す追加の目標参照インデックスの所定の値を表すデータを含む、スライスヘッダまたはピクチャパラメータセット（ＰＰＳ）のうちの少なくとも１つを復号するための手段と、
前記第１の参照ピクチャが長期参照ピクチャを備えることを決定するための手段と、
前記第１の参照ピクチャが前記長期参照ピクチャを備えることを決定することに応答して、前記候補動きベクトル予測子を使用した前記現在の動きベクトルの時間的動きベクトル予測（ＴＭＶＰ）の間に、前記現在の動きベクトルの参照インデックスが前記追加の目標参照インデックスの前記所定の値を有するように、前記現在の動きベクトルを復号するための手段と
を備えるデバイス。
【請求項１７】
復号するための前記手段が、マージモードを使用して前記現在の動きベクトルを復号するための手段を備え、前記デバイスは、
前記候補動きベクトル予測子から前記現在の動きベクトルの動きパラメータを継承するための手段と、ここにおいて、前記継承される動きパラメータは、参照ピクチャリスト識別子と、水平動成分と、垂直動成分とを含み、
前記現在の動きベクトルが参照ピクチャリストにおいて参照する前記第２の参照ピクチャを識別するために前記追加の目標参照インデックスの前記値を使用するための手段とを備え、
前記水平動成分、前記垂直動成分、および前記参照ピクチャリストにおいて前記追加の目標参照インデックスによって識別される前記第２の参照ピクチャを使用して現在のブロックを復号するための手段をさらに備える、請求項１６に記載のデバイス。
【請求項１８】
前記追加の目標参照インデックスの前記値を決定するための前記手段は、前記現在の動きベクトルを含むビデオデータが基本ビデオコーディング規格の拡張規格に適合するときにのみ前記追加の目標参照インデックスの前記値を決定するための手段を備える、請求項１６に記載のデバイス。
【請求項１９】
前記現在の動きベクトルに対応するブロックを含むピクチャを含むシーケンスのシーケンスパラメータセット（ＳＰＳ）、またはビデオパラメータセット（ＶＰＳ）のうちの少なくとも１つにおける前記所定の値を表すデータを復号するための手段をさらに備える、請求項１６に記載のデバイス。
【請求項２０】
前記所定の値が非ゼロ値であるときに、前記第２の参照ピクチャが参照インデックス０によって識別される参照ピクチャのタイプとは異なるタイプを有することを決定するための手段をさらに備える、請求項１６に記載のデバイス。
【請求項２１】
命令を記憶したコンピュータ可読記憶媒体であって、前記命令が、実行されたとき、プロセッサに、
現在の動きベクトルの候補動きベクトル予測子が参照する参照ピクチャを表す第１の目標参照インデックスを決定することと、
前記第１の参照ピクチャとは異なる第２の参照ピクチャを表す追加の目標参照インデックスの所定の値を表すデータを含む、スライスヘッダまたはピクチャパラメータセット（ＰＰＳ）のうちの少なくとも１つを復号することと、
前記第１の参照ピクチャが長期参照ピクチャを備えることを決定することと、
前記第１の参照ピクチャが前記長期参照ピクチャを備えることを決定することに応答して、前記候補動きベクトル予測子を使用した前記現在の動きベクトルの時間的動きベクトル予測（ＴＭＶＰ）の間に、前記現在の動きベクトルの参照インデックスが前記候補動きベクトル予測子の前記第１の目標参照インデックスの代わりに前記追加の目標参照インデックスの前記所定の値を有するように、前記現在の動きベクトルをコーディングすることと
を行わせるコンピュータ可読記憶媒体。
【請求項２２】
前記プロセッサに復号することを行わせる前記命令が、前記プロセッサにマージモードを使用して前記現在の動きベクトルを復号させる命令を備え、前記プロセッサに、
前記候補動きベクトル予測子から前記現在の動きベクトルの動きパラメータを継承することと、ここにおいて、前記継承される動きパラメータは、参照ピクチャリスト識別子と、水平動成分と、垂直動成分とを含み、
前記現在の動きベクトルが参照ピクチャリストにおいて参照する前記第２の参照ピクチャを識別するために前記追加の目標参照インデックスの前記値を使用することと
を行わせる命令を備え、
前記プロセッサに、前記水平動成分、前記垂直動成分、および前記参照ピクチャリストにおいて前記追加の目標参照インデックスによって識別される前記第２の参照ピクチャを使用して現在のブロックを復号することを行わせる命令をさらに備える、請求項２１に記載のコンピュータ可読記憶媒体。
【請求項２３】
前記プロセッサに前記追加の目標参照インデックスの前記値を決定することを行わせる前記命令は、前記プロセッサに、前記現在の動きベクトルを含むビデオデータが基本ビデオコーディング規格の拡張規格に適合するときにのみ前記追加の目標参照インデックスの前記値を決定することを行わせる命令を備える、請求項２１に記載のコンピュータ可読記憶媒体。
【請求項２４】
前記プロセッサに、前記現在の動きベクトルに対応するブロックを含むピクチャを含むシーケンスのシーケンスパラメータセット（ＳＰＳ）、またはビデオパラメータセット（ＶＰＳ）のうちの少なくとも１つにおける前記所定の値を表すデータを復号することを行わせる命令をさらに備える、請求項２１に記載のコンピュータ可読記憶媒体。
【請求項２５】
前記所定の値が非ゼロ値であるときに、前記プロセッサに、前記第２の参照ピクチャが参照インデックス０によって識別される参照ピクチャのタイプとは異なるタイプを有することを決定することを行わせる命令をさらに備える、請求項２１に記載のコンピュータ可読記憶媒体。